(57)【要約】【課題】  ユーザの視聴開始位置に依らず、ユーザのCM視聴時間を確保する。【解決手段】  放送波を受信して、放送波に変調されているCMストリーム及び本編ストリームのどちらか一方を選択して、出力する受信装置であって、チャンネル操作をユーザから受け付ける受付部を備え、ユーザによりチャンネル操作がなされれば、本編ストリームの選択に先立ち、CMストリームの選択を行うよう出力切り替えを行う。【選択図】図１０
2007515838.tif 000002
【特許請求の範囲】
【請求項１】
放送波を受信して、放送波に変調されているCMストリーム及び本編ストリームのどちらか一方を選択して、出力する受信装置であって、
チャンネル操作をユーザから受け付ける受付手段と、
ユーザによりチャンネル操作がなされれば、本編ストリームの選択に先立ち、CMストリームの選択を行うよう出力切り換えを行う切換手段と
を備えることを特徴とする受信装置。
【請求項２】
CMストリームは、複数のCM映像と、各CM映像の終了時刻を示す時刻情報を含み、
前記受信装置は更に、
現在時刻が、何れかのCM映像の終了時刻に到達したか否かを判定する第１判定手段を備え、
前記切換手段によるCMストリーム選択後の本編ストリームの選択は、
現在時刻が何れかのCM映像の終了時刻に到達したと第１判定手段が判定した時点になされる
ことを特徴とする請求項１記載の受信装置。
【請求項３】
本編ストリームは、本編映像の終了時刻を示す時刻情報を複数含み、
前記受信装置は更に、
現在時刻が、本編ストリームの終了時刻に到達したか否かを判定する第２判定手段を備え、
前記切換手段は更に、
現在時刻が本編ストリームの終了時刻に到達したと第２判定手段が判定した場合、CMストリームの再選択を行う
ことを特徴とする請求項２記載の受信装置。
【請求項４】
前記切換手段による本編ストリームの選択及びCMストリームの再選択は、所定の条件が満たされる限り、繰り返しなされる
ことを特徴とする請求項３記載の受信装置。
【請求項５】
前記受信装置は更に、
CMストリームの選択が継続している期間の総和を計測する計測手段を備え、
前記所定の条件とは、
継続期間の総和が視聴を義務付けられた時間長に満たないことである、
ことを特徴とする請求項４記載の受信装置。
【請求項６】
前記受信装置は更に、
現在時刻が、本編ストリームの終了時刻に到達するまでの間に、前記受付手段がCM切換要求をユーザから受け付けたか否かを判定する第３判定手段を備え、
前記切換手段は更に、
CM切換要求がユーザによりなされた場合、終了時刻の到達を待たずに、CMストリームの選択を再度行う
ことを特徴とする請求項３記載の受信装置。
【請求項７】
前記受信装置は、
前記CMストリームに含まれる複数のCM映像のうち、現在の再生時点に合致するものの内容を示す文字列を表示する表示手段を備え、
前記受付手段は、
文字列の表示時において、文字列に示されるCMの視聴を要求するCM視聴要求をユーザから受け付ける
ことを特徴とする請求項６記載の受信装置。
【請求項８】
放送波には、CMストリーム、本編ストリームの他にあらすじ放送を構成するあらすじストリームが変調されており、
前記切り替え手段は更に、
CMストリームの選択後に、前記あらすじストリームを所定の期間において選択し、前記本編ストリームの選択を、あらすじストリームの選択後に行うよう出力の切り換えを行う
ことを特徴とする請求項１記載の受信装置。
【請求項９】
前記あらすじストリームは、複数のあらすじ映像を含み、
前記切り替え手段は、
あらすじストリームの選択時にあたって、あらすじストリームに含まれる複数のあらすじ映像のうち、現在時点に応じたものを再生出力させる
ことを特徴とする請求項８記載の受信装置。
【請求項１０】
前記CMストリームは、複数のCM映像を含み、
前記受信装置は、
前記切り替え手段がCMストリームを選択すれば、選択されたCMストリーム中の複数のCM映像のうち、現在時点に合致するものを子画面にし、本編ストリームの再生映像を親画面にした合成画像を出力する合成手段
を備えることを特徴とする請求項７記載の受信装置。
【請求項１１】
前記放送波に変調されているそれぞれのストリームの終端部分には、特典映像が含まれており、何れかのストリームには各特典映像の選択にあたっての選択基準を示す基準情報が含まれており、
前記受信要求操作がなされてから現在時点まで、本編ストリーム又はCMストリームの視聴が継続している期間を計測する計測手段と、
現在の再生時点が本編ストリームの終端部分に到達した場合、計測手段により計測された視聴期間をみたす選択基準に対応する特典映像を選択して再生する再生手段と
を備えることを特徴とする請求項１記載の受信装置。
【請求項１２】
放送波を受信して、放送波に変調されているCMストリーム及び本編ストリームのどちらか一方を選択して、出力する処理をコンピュータに行わせるコンピュータ読み取り可能なプログラムであって、
コンピュータにチャンネル操作をユーザから受け付けさせる受付コードと、
ユーザによりチャンネル操作がなされれば、本編ストリームの選択に先立ち、コンピュータにCMストリームの選択を行うよう出力切り換えを行わせる切換コードとを含む
ことを特徴とするコンピュータ読み取り可能なプログラム。
【請求項１３】
放送波を受信して、放送波に変調されているCMストリーム及び本編ストリームのどちらか一方を選択して、出力する方法であって、
ユーザからのチャンネル操作の受付と、
ユーザによりチャンネル操作がなされれば、本編ストリームの選択に先立つCMストリームの選択のための出力切り換えと
を含むことを特徴とする方法。
【請求項１４】
放送波を受信して、放送波に変調されているCMストリーム及び本編ストリームのどちらか一方を選択して、出力する受信装置に設けられるシステム集積回路であって、
チャンネル操作をユーザから受け付ける受付手段と、
ユーザによりチャンネル操作がなされれば、本編ストリームの選択に先立ち、CMストリームの選択を行うよう出力切り換えを行う切換手段と
を備えることを特徴とするシステム集積回路。
【発明の詳細な説明】
【技術分野】
【０００１】
本発明は、ストリームが多重化された放送波を受信する受信装置に関する。
【背景技術】
【０００２】
近年、放送のデジタル化が急速に進展している。デジタル放送で採用されている映像・音声・データの多重化伝送方式にMPEG-2 TSがある。MPEG-2 TSでは、伝送したいビット列をある長さごとに分割してヘッダーを付加し、最終的に188バイトのTSパケットと呼ばれる単位にして伝送する。
デジタル放送では、チャンネル単位または番組単位でユーザが視聴料を支払うことによりユーザに有料で番組を提供する方法がある。また、従来のアナログ放送と同様に番組中または番組間にスポンサーのCMを挿入し、スポンサーからの広告料によりユーザに無料で番組を提供する方法も採用されている。したがって、スポンサーはできるだけ多くのユーザがCMを視聴することを要望している。
なお、先行技術としては特許文献１、特許文献２に記載されたものがある。
【特許文献１】特開２００１−２９２４２４号公報
【特許文献２】特開２０００−３３９８５７号公報
【発明の開示】
【発明が解決しようとする課題】
【０００３】
しかしながら、TV放送においてユーザはいつ視聴を始めるか判らない。例えば、番組がCM放送から始まる場合には、CM放送の開始から視聴を始める限り問題はない。しかし、CM放送の途中から視聴を開始したり、本編放送から視聴を開始する場合、ユーザによるCM視聴時間は短くなってしまう。また、ユーザは番組中にCMが入るとチャンネルを他チャンネルに切り替えることがあり、その場合もユーザによる当該番組中のCM視聴時間は短くなってしまう。そして、最悪ユーザにCMを視聴してもらえない場合もあり得る。このようなユーザによるCM視聴時間の減少は、放送に対する出資熱を冷え込ませる原因になっている。
【０００４】
本発明は上記に鑑みてなされたものであって、ユーザのCM視聴時間を確保することができる受信装置を提供することを目的とする。
【課題を解決するための手段】
【０００５】
上記課題を解決するために、本発明は、放送波を受信して、放送波に変調されているCMストリーム及び本編ストリームのどちらか一方を選択して、出力する受信装置であって、チャンネル操作をユーザから受け付ける受付手段と、ユーザによりチャンネル操作がなされれば、本編ストリームの選択に先立ち、CMストリームの選択を行うよう出力切り替えを行う切り替え手段とを備えることを特徴とする受信装置である。
【発明の効果】
【０００６】
本発明は、上記の構成を備えることにより、チャンネル操作があれば、本編ストリームの選択に先立ち、CMストリームを選択するので、CM視聴時間は確保されることになる。例えば、ユーザから受信装置の電源をonにする操作、またはチャンネルの切り替え操作があれば、その直後にまず強制的にCMストリームが選択される。これにより、ユーザのCM視聴時間が確保される。CM視聴時間が確保されることで、一定の広告効果が期待できる。かかる広告効果により、スポンサーを募り易くなる。
【０００７】
ここで、CMストリームは、複数のCM映像と、各CM映像の終了時刻を示す時刻情報を含み、前記受信装置は更に、現在時刻が、何れかのCM映像の終了時刻に到達したか否かを監視する第１判定手段を備え、前記切換手段によるCMストリーム選択後の本編ストリームの選択は、現在時刻が何れかのCM映像の終了時刻に到達したと第１判定手段が判定した時点になされることを特徴とするとしても良い。
【０００８】
これにより、チャンネル受信要求の受け付け直後から、何れかのCM映像の終了時刻に達するまで、継続してCMストリームを選択する。例えば、受信装置の電源をonにする操作、またはチャンネルの切り替え操作があれば、その直後にまず強制的にCM映像の終了時刻までの期間CMストリームが選択される。よって、本編の視聴開始前に何れかのCM映像の終了時刻までの期間だけCM視聴時間を確保することができる。
【０００９】
ここで、本編ストリームは、本編映像の終了時刻を示す時刻情報を複数含み、前記受信装置は更に、現在時刻が、本編ストリームの終了時刻に到達したか否かを監視する第２判定手段を備え、前記切換手段は更に、現在時刻が本編ストリームの終了時刻に到達したと第２判定手段が判定した場合、CMストリームの再選択を行うことを特徴とするとしても良い。
【００１０】
これにより、本編ストリームが選択された後に再びCMストリームが選択されるので、ユーザのCM視聴時間がより多く確保される。
ここで、前記切換手段による本編ストリームの選択及びCMストリームの再選択は、所定の条件が満たされる限り、繰り返しなされることを特徴とするとしても良い。
これにより、強制的にCMストリームを繰り返し選択するので、CM視聴時間をより多く確保することができる。
【００１１】
ここで、前記受信装置は更に、現在時刻が、本編ストリームの終了時刻に到達するまでの間に、前記受付手段がCM切換要求をユーザから受け付けたか否かを判定する第３判定手段を備え、前記切換手段は更に、CM切換要求がユーザによりなされた場合、終了時刻の到達を待たずに、CMストリームの選択を再度行うことを特徴とするとしても良い。
これにより、現在ではCM視聴率を上げるように番組が制作されるために、主にCMは本編の盛り上がる個所で入れられ、ユーザに不快感を与えることが多いが、ユーザの意思で自由にCMを選択することができ、快適に番組を視聴することができる。
【００１２】
ここで、前記受信装置は、前記CMストリームに含まれる複数のCM映像のうち、現在の再生時点に合致するものの内容を示す文字列を表示する表示手段を備え、前記受付手段は、文字列の表示時において、文字列に示されるCMの視聴を要求するCM視聴要求をユーザから受け付けることを特徴とするとしても良い。
これにより、本編ストリームの再生映像に重ね合わせて、複数のCM映像のうち、現在の再生時点に合致するものの内容を示す文字列を表示するので、ユーザは本編を視聴しながらCMの内容を文字で認識することができる。例えば、興味のあるCMである場合等にユーザからの操作によりCMストリームに切り替えることができる。
【００１３】
ここで、放送波には、CMストリーム、本編ストリームの他にあらすじ放送を構成するあらすじストリームが変調されており、前記切り替え手段は更に、CMストリームの選択後に、前記あらすじストリームを所定の期間において選択し、前記本編ストリームの選択は、あらすじストリームの選択後に行うよう出力の切り替えを行うことを特徴とするとしても良い。
【００１４】
これにより、ユーザが番組を途中から視聴した場合であっても、それまでの番組内容を映像によって把握することができる。
ここで、前記あらすじストリームは、複数のあらすじ映像を含み、前記切り替え手段は、あらすじストリームの選択時にあたって、あらすじストリームに含まれる複数のあらすじ映像のうち、現在時点に応じたものを再生出力させることを特徴とするとしても良い。
【００１５】
これにより、複数のあらすじ映像のうち、最も適したあらすじを先頭から提供するので、番組を途中から視聴した場合であっても、本編の内容を理解することができる。
ここで、前記CMストリームは、複数のCM映像を含み、前記受信装置は、前記受信手段がCMストリームを選択すれば、選択されたCMストリーム中の複数のCM映像のうち、現在時点に合致するものを子画面にし、本編ストリームの再生映像を親画面にした合成画像を出力する合成手段を備えることを特徴とするとしても良い。
【００１６】
これにより、CM映像を本編の映像に重ね合わせ子画面で再生することができるので、本編を視聴しながらCMを視聴することができる。
ここで、前記放送波に変調されているそれぞれのストリームの終端部分には、特典映像が含まれており、何れかのストリームには各特典映像の選択にあたっての選択基準を示す基準情報が含まれており、前記受信要求操作がなされてから現在時点まで、本編ストリーム又はCMストリームの視聴が継続している期間を計測する計測手段と、現在の再生時点が本編ストリームの終端部分に到達した場合、計測手段により計測された視聴期間をみたす選択基準に対応する特典映像を選択して再生する再生手段とを備えることを特徴とするとしても良い。
【００１７】
これにより、本編の視聴時間に応じて特典映像が変化するので、ユーザが番組途中でチャンネルを切り替えることを抑制できる。
【発明を実施するための最良の形態】
【００１８】
（第一実施形態）
本発明に係る受信装置の実施形態について図を参照しながら説明する。図１は本発明に係る受信装置の機能ブロックを示す図である。図１に示すように受信装置は、デジタルチューナ１０１と、パケットフィルタリング部１０２と、メモリ１０３と、MPEGデコーダ１０４と、フレームメモリ１０５と、制御部１０７と、操作受付部１０９、時計部１１０と、本編視聴時間タイマ１１１と、CM視聴時間タイマ１１２と、番組情報部１１３とを備える。
【００１９】
受信装置は、具体的にはマイクロプロセッサ、ROM、RAM、ハードディスクユニットなどから構成されるコンピュータシステムである。前記ROM又は前記ハードディスクユニットには、コンピュータプログラムが記憶されている。前記マイクロプロセッサは、前記コンピュータプログラムに従って動作することにより、受信装置はその機能を達成する。
以下、各構成について説明する。
【００２０】
デジタルチューナ１０１は、ストリームが多重化された放送波を受信し、復調する。チャンネルは複数のストリームにより構成されている。本実施形態におけるストリームの構成は、番組単位に番組の開始から終了まで全編放送する本編ストリームと、本編ストリームの一定時間単位のあらすじを放送するあらすじストリームと、CMのみを放送するCMストリームとからなる。本編ストリームとあらすじストリームとCMストリームとは互いに同期がとられている。さらにあらすじストリーム内の各あらすじストリーム群と、CMストリーム内の各CMストリーム群とも同期がとられている。
【００２１】
パケットフィルタリング部１０２は、デジタルチューナ１０１より送出されたTSパケットを受け取り、TSパケットに付加されたPMT(Program Map Table)を制御部１０７に送出する。また、制御部１０７からPID（パケット識別子）を取得し、同一のPIDを持つTSパケットのペイロードに格納されたPES（Packetized Elementary Stream）パケットをメモリ１０３に送出する。
【００２２】
メモリ１０３は、パケットフィルタリング部１０２から送出されたPESパケットを記憶する。また、エレメンタリストリームをMPEGデコーダ１０４に送出する。
MPEGデコーダ１０４は、多重分離されたストリームから映像信号と音声信号を復号する。
フレームメモリ１０５は、1画面（親画面）を記憶するための専用メモリである。
【００２３】
制御部１０７は、パケットフィルタリング部１０２から送出されたPMTを取得し、選択するストリームを示すPIDをパケットフィルタリング部１０２に送出する。PMTとは、あるサービスに含まれる画像や音声などのPIDを格納したものである。このPIDによりTSパケットの種類が識別される。PMTを参照することにより、ストリームの中から目的のプログラムを構成するTSパケットだけを取り出すことができる。それらPIDのついたパケットを集めることによって元の動画を再生することが可能となる。例えば、本編ストリームを選択する場合には、本編ストリームを示すPIDをパケットフィルタリング部１０２に送出する。PMTは更に、細かなセクションやデスクリプタという単位で、番組や番組を構成するストリームの説明情報を伝送することができる。また、制御部１０７は、SI（Service Information）を取得すると、番組情報部１１３にSIを送出する。
【００２４】
操作受付部１０９は、受信装置の電源をonにする要求、またはチャンネルの切り替え要求、CM視聴要求等に関する操作をユーザから受けつける。
時計部１１０は、日時を計り、制御部１０７に送出する。
本編視聴時間タイマ１１１は、本編ストリームが選択された時間を示す。本実施形態では、チャンネルが切り替えられる度に本編視聴時間タイマ１１１はリセットされる。
【００２５】
CM視聴時間タイマ１１２は、CMストリームが選択された時間を示す。視聴が義務付けられたCM時間をセットし、CMを視聴した分だけセットされた時間が減少していく。CM視聴時間タイマ１１２が０になると強制的にCMストリームに切り替わることはない。また、本編視聴時間、又はCM視聴時間に基づき、本編終了後に選択する特典映像が変化する。特典映像とは、例えば、番組のＮＧ集、おまけ映像やプレゼントの応募等の映像である。
【００２６】
番組情報部１１３は、制御部１０７より送出されたSIを記憶する。SIは例えば、ストリーム切り替え情報、番組名、番組内容等、番組に関する情報である。
ストリーム切り替え情報は、例えば、チャンネル、番組開始時間、本編ストリームID、特典映像選択基準情報、本編開始時間、本編終了時間、特典映像開始時間、特典映像終了時間、CMストリームID、指定されたCM視聴時間、強制CM選択開始時間、強制CM選択終了時間、CM開始時間、CM終了時間、あらすじストリームID、あらすじ開始時間、あらすじ終了時間である。
【００２７】
特典映像選択基準情報とは、本編視聴時間又はCM視聴時間に応じて特典映像を選択するための情報である。
指定されたCM視聴時間とは、番組毎に固有に定められたCMストリームを選択しなければならない時間である。強制的にCMストリームが選択される時間、及びユーザが自らCM視聴要求する場合にCMストリームが選択される時間の両方を含む。
【００２８】
強制CM選択開始時間とは、放送局側が意図したものであり、本編ストリームを選択している最中であっても、強制的にCMストリームに切り替わる時間を示す。
強制CM選択終了時間は、強制的にCMストリームを選択した場合の選択の終了を示す時間である。
つまり、強制CM選択終了時間になると本編ストリームに切り替わる。図２及び図３は、ストリーム切り替え情報の構成を示した図である。ストリーム切り替え情報は、各チャンネルの各番組毎に設定される。図２及び図３に示すようにチャンネル１０は、番組開始時間を番組開始時間ｔ０から番組開始時間ｔ２０までのＮ個保持している。各番組開始時間毎に本編ストリームID、CMストリームID、あらすじストリームIDがそれぞれ設定されている。番組開始時間ｔ０は、本編ストリームID１１、CMストリームID１３、あらすじストリームID１４が設定されている。
【００２９】
本編ストリームID１１は、特典映像選択基準情報１２と、本編開始時間を本編開始時間１ｔ１から本編開始時間ｍｔ３までのｍ個と、本編終了時間を本編終了時間１ｔ２から本編終了時間ｍｔ４までのｍ個と、特典映像開始時間ｔ５、特典映像終了時間ｔ６を保持している。
CMストリームID１３は、指定されたCM視聴時間ｔ７と、強制CM選択開始時間を強制CM選択開始時間１ｔ８から強制CM選択開始時間ｌｔ１０までのｌ個と、強制CM選択終了時間を強制CM選択終了時間１ｔ９から強制CM選択終了時間ｌｔ１１までのｌ個と、CM開始時間をCM開始時間１ｔ１２からCM開始時間ｎｔ１４までのｎ個と、CM終了時間をCM終了時間１ｔ１３からCM終了時間ｎｔ１５までのｎ個と、特典映像開始時間ｔ５、特典映像終了時間ｔ６を保持している。
【００３０】
あらすじストリームID１４は、あらすじ開始時間をあらすじ開始時間１ｔ１６からあらすじ開始時間ｎｔ１８までのｎ個と、あらすじ終了時間をあらすじ終了時間１ｔ１７からあらすじ終了時間ｎｔ１９までのｎ個と、特典映像開始時間ｔ５と、特典映像終了時間ｔ６を保持している。
続いて、受信装置の処理の流れについて図４のフローチャートを用いて説明する。まず、ユーザから受信装置の電源をonにする要求操作、またはチャンネルの切り替え要求操作があるか否かを判断する（Ｓ１０）。要求操作があると、本編視聴時間タイマと、CM視聴時間タイマをプリセットする（Ｓ２０）。次に、CMストリーム選択処理を行う（Ｓ３０）。続いて、あらすじストリーム選択処理を行う（Ｓ４０）。その後、本編ストリームを選択する（Ｓ５０）。本編ストリームを選択すると、ユーザからCM視聴要求があるか否かを判断し（Ｓ６０）、要求があると、CMストリーム選択処理を行う（Ｓ８１）。要求がないと、強制CM選択開始時間が来たか否かを判断する（Ｓ７０）。強制CM選択開始時間が来たら、CM視聴時間タイマが０か否かを判断する（Ｓ８０）。CM視聴時間タイマが０なら、Ｓ６０に移行する。CM視聴時間タイマが０でないなら、CMストリーム選択処理を行い（Ｓ８１）、Ｓ５０に移行する。強制CM選択開始時間がまだの場合は、受信装置の電源をoffにする操作があるか否かを判断する（Ｓ１１０）。電源をoffにすると、処理は終了する。電源をoffにする操作がなければ、本編終了か否かを判断する（Ｓ１２０）。本編が終了でない場合は、Ｓ６０に移行する。本編が終了すると、本編視聴時間、又はCM視聴時間を取得し（Ｓ１３０）、各ストリームに属する特典映像の中から本編視聴時間、又はCM視聴時間に応じたものを選択する（Ｓ１４０）。
【００３１】
続いて、CMストリーム選択処理の流れについて図５のフローチャートを用いて説明する。まず、CMストリームを取り出すようパケットフィルタリング部１０２に指示する（Ｓ３１）。次に該当するCMのCM終了期間に達したか否かを判断する（Ｓ３２）。CM終了期間に達していないなら、CM終了期間に達するまでCM視聴時間タイマをカウントダウンする（Ｓ３３）。CM終了期間に達すると処理を終了する。
【００３２】
続いて、あらすじストリーム選択処理の流れについて図６のフローチャートを用いて説明する。まず、現在時点を取得する（Ｓ４１）。次に、あらすじストリームにおける複数のあらすじ映像のうち、現在時点に応じたあらすじ映像を再生出力する（Ｓ４２）。
続いて、図７、図８、図９、図１０を用いて具体的に説明する。図７、図８はストリーム切り替え情報を示す。図９は、特典映像選択基準情報の内容を示し、図１０はそのときの具体的なストリーム選択の流れを示す。図７、図８、図９において、チャンネル３０はCh４であり、番組開始時間ｔ３０は１９：００である。本編ストリームID３１はABCである。特典映像選択基準情報３２は、本編視聴時間が３０分以上なら特典映像１を選択する。本編視聴時間が２０分以上３０分未満なら特典映像２を選択する。本編視聴時間が２０分未満なら特典映像３を選択する。本編開始時間ｔ３１は１９：００であり、本編終了時間ｔ３２は１９：１５である。本編開始時間ｔ３３は１９：１５であり、本編終了時間ｔ３４は１９：３０である。本編開始時間ｔ３５は１９：３０であり、本編終了時間ｔ３６は１９：４５である。特典映像開始時間ｔ３７は１９：４５であり、特典映像終了時間ｔ３８は１９：５０である。CMストリームID３３はDEFであり、指定されたCM視聴時間ｔ３９は１２分である。強制CM選択開始時間ｔ４０は１９：００であり、強制CM選択終了時間ｔ４１は１９：０５である。強制CM選択開始時間ｔ４２は１９：１５であり、強制CM選択終了時間ｔ４３は１９：２０である。強制CM選択開始時間ｔ４４は１９：３０であり、強制CM選択終了時間ｔ４５は１９：３５である。CM開始時間ｔ４６は１９：００であり、CM終了時間ｔ４７は１９：０５である。CM開始時間ｔ４８は１９：０５であり、CM終了時間ｔ４９は１９：１０である。CM開始時間ｔ５０は１９：２５であり、CM終了時間ｔ５１は１９：３０である。CM開始時間ｔ５２は１９：４０であり、CM終了時間ｔ５３は１９：４５である。あらすじストリームID３４はGHIである。あらすじ開始時間ｔ５４は１９：００であり、あらすじ終了時間ｔ５５は１９：０５である。あらすじ開始時間ｔ５６は１９：０５であり、あらすじ終了時間ｔ５７は１９：１０である。あらすじ開始時間ｔ５８は１９：３５であり、あらすじ終了時間ｔ５９は１９：４０である。あらすじ開始時間ｔ６０は１９：４０であり、あらすじ終了時間ｔ６１は１９：４５である。
【００３３】
図１０において、本編ストリーム３００は、本編１、２、３と本編３の後に設けられた特典映像２とからなる。あらすじストリーム４００は、複数のあらすじ群からなる。本編開始時間ｔ３１である１９：００から本編終了時間ｔ３２である１９：１５までの間に、本編１に関するあらすじ１からあらすじ３までからなる３つのあらすじが順に組み込まれている。各あらすじには、番組開始時間ｔ３０から各あらすじの終了時間までのあらすじが入っている。また、本編開始時間ｔ３３である１９：１５から本編終了時間ｔ３４である１９：３０までの間に、本編１と２からなるあらすじ群が同様に順に３つ組み込まれている。本編開始時間ｔ３５である１９：３０から本編終了時間ｔ３６である１９：４５までの間には、本編１と２と３からなるあらすじ群が同様に順に３つ組み込まれている。本編１と２と３からなるあらすじ群の後に特典映像３が付加されている。CMストリーム２００は、本編開始時間ｔ３１である１９：００から本編終了時間ｔ３２である１９：１５までの間に、CM１が３つ順に組み込まれている。また、本編開始時間ｔ３３である１９：１５から本編終了時間ｔ３４である１９：３０までの間に、CM２が同様に順に３つ組み込まれている。本編開始時間ｔ３５である１９：３０から本編終了時間ｔ３６である１９：４５までの間には、CM３が同様に順に３つ組み込まれている。CM３が３つ組み込まれている後に、特典映像１が付加されている。本具体例では、本編の総時間は４５分であり、特典映像は本編の視聴時間に応じて選択するものとする。よって、特典映像選択基準情報３２に示すように、本編視聴時間が３０分以上の場合は特典映像１を選択する。２０分以上３０分未満の場合は特典映像２を選択し、２０分未満の場合は特典映像３を選択する。また、特典映像３よりも特典映像２の方が付加価値が高く、特典映像２よりも特典映像１の方が付加価値が高いものとする。つまり、本編視聴時間の合計値が大きければ大きいほど、より付加価値の高い特典映像を視聴することができる。また、図１０において、ユーザは１９：００に受信装置の電源をonにするものとする。その際図７、図８に示すように電源をonにすると選択されるチャンネル３０は４Chであるとする。また、番組開始時間ｔ３０が１９：００からの番組を対象とする。
【００３４】
まず、ユーザから受信装置の電源をonにする要求操作、またはチャンネルの切り替え要求操作があると、強制的にCMストリーム２００を選択する。ここでは、１９：００にユーザから受信装置の電源をonにする要求操作がなされており、その時点が視聴開始位置となる。CMストリーム２００は該当するCM終了時間になると、あらすじストリーム４００に切り替わる。ここでは、番組開始から視聴しているのでCM終了時間ｔ４７である１９：０５になるとあらすじストリーム４００に切り替わる。ここで、現在時点に応じたあらすじ映像を再生出力する。ここでは、複数のあらすじのうち、本編１あらすじ２をあらすじ開始時間ｔ５６である１９：０５からあらすじ終了時間ｔ５７である１９：１０まで再生出力する。その後、本編ストリーム３００を選択する。１９：１５に強制CM選択開始時間ｔ４２が来ている。よって、強制CM選択開始時間ｔ４２である１９：１５になると強制的にCMストリーム２００を選択する。強制CM選択終了時間ｔ４３である１９：２０になると再び本編ストリーム３００を選択する。続いて、本編２の再生中の１９：２８頃にユーザからCM視聴の要求があるので、CMストリーム２００を選択する。そして、その時間に該当するCM映像のCM終了時間ｔ５１である１９：３０になると再び本編ストリーム３００を選択する。ここで、すでにCM視聴時間が指定されたCM視聴時間ｔ３９である１２分に達している。したがって、強制CM選択開始時間ｔ４４である１９：３０では強制的にCMストリーム２００に切り替わることはない。最後に本編終了後に本編視聴時間に応じた特典映像を選択する。ここでは、本編視聴時間は約２８分であるので、特典映像選択基準情報３２より特典映像２が選択される。よって、本編３が終了すると本編ストリーム３００を選択する。
【００３５】
以上のように本実施形態によれば、ユーザから自主的なCM視聴要求を受け付けることによりCMの視聴を促進する。また、自主的なCM視聴要求がなくともユーザが受信装置の電源をonにした後、またはチャンネルの切り替え後には強制的にCMストリーム２００を選択する。更に、その後も強制CM選択開始時間になると強制的にCMストリーム２００を選択するので、ユーザのCM視聴時間を確保することができる。
【００３６】
（第二実施形態）
第一実施形態では、本編視聴時間タイマはチャンネルを切り替える度にリセットされるが、第二実施形態は、チャンネルを切り替えても本編視聴時間の値を保持し続ける実施形態である。そのために第二実施形態では、ユーザの選択履歴に関する内部テーブルを記録しておく必要がある。内部テーブルは図１１に示すように、例えば、選択されたチャンネル８００と、選択されたチャンネルの視聴開始時間８０１と、選択されたチャンネルに関して今まで視聴された総視聴時間８０２とで構成される。これにより、同じ番組に複数回チャンネル選択した場合、視聴時間は総視聴時間に累積されるようになる。
【００３７】
以上のように本実施形態によれば、番組視聴中に少しの時間、他チャンネルに切り替えた場合であっても本編視聴時間はリセットされず、特典映像は総視聴時間に応じて選択される。
（第三実施形態）
第一実施形態では、本編ストリームは、番組単位に番組の開始から終了まで全編放送するストリームであったが、第三実施形態は、本編ストリームにCMが含まれる実施形態である。図１２、図１３はストリーム切り替え情報を示し、図１４はそのときの具体的なストリーム選択の流れを示す。また、特典映像選択基準情報３２は第一実施形態と同様とする。図１２、図１３において、チャンネル７０はCh４であり、番組開始時間ｔ７０は１９：００である。本編ストリームID７１はJKLである。本編開始時間ｔ７１は１９：００であり、本編終了時間ｔ７２は１９：１０である。本編開始時間ｔ７３は１９：１５であり、本編終了時間ｔ７４は１９：２５である。本編開始時間ｔ７５は１９：３０であり、本編終了時間ｔ７６は１９：４０である。CM開始時間ｔ７７は１９：１０であり、CM終了時間ｔ７８は１９：１５である。CM開始時間ｔ７９は１９：２５であり、CM終了時間ｔ８０は１９：３０である。CM開始時間ｔ８１は１９：４０であり、CM終了時間ｔ８２は１９：４５である。特典映像開始時間ｔ８３は１９：４５であり、特典映像終了時間ｔ８４は１９：５０である。CMストリームID７２はMNOであり、指定されたCM視聴時間ｔ８５は１２分である。CM開始時間ｔ８６は１９：００であり、CM終了時間ｔ８７は１９：０５である。CM開始時間ｔ７７は１９：１０であり、CM終了時間ｔ７８は１９：１５である。あらすじストリームID７３はPQRであり、あらすじ開始時間ｔ８８は１９：００であり、あらすじ終了時間ｔ８９は１９：０５である。あらすじ開始時間ｔ９０は１９：１５であり、あらすじ終了時間ｔ９１は１９：２０である。あらすじ開始時間ｔ９２は１９：３５であり、あらすじ終了時間ｔ９３は１９：４０である。あらすじ開始時間ｔ９４は１９：４０であり、あらすじ終了時間ｔ９５は１９：４５である。
【００３８】
図１４において、本実施形態における本編ストリーム６００は、本編１とCM１、本編２とCM２、本編３とCM３、及び本編３の後に設けられた特典映像２とからなる。CMストリーム５００、あらすじストリーム７００については第一実施形態と同様である。特典映像の選択についても第一実施形態と同様に、本編視聴時間に応じて選択する。また図１４において、ユーザは１９：１０に受信装置の電源をonにし、図１２、図１３に示すように電源をonにするとチャンネル７０は４Chであるものとする。
【００３９】
まず、ユーザから受信装置の電源をonにする要求操作、またはチャンネルの切り替え要求操作があると、強制的にCMストリーム５００を選択する。ここでは、１９：１０に受信装置の電源をonにする要求操作がなされており、その時点が視聴開始位置となる。CMストリーム５００は該当するCM終了時間になると、あらすじストリーム７００に切り替わる。ここでは、CM終了時間ｔ７８の１９：１５にあらすじストリーム７００に切り替わる。ここで、現在時点に応じたあらすじ映像を再生出力する。ここでは、複数のあらすじのうち、本編１、２あらすじ１をあらすじ開始時間ｔ９０の１９：１５からあらすじ終了時間ｔ９１の１９：２０まで再生出力する。その後、本編ストリーム６００を選択する。最後に本編終了後に本編視聴時間に応じた特典映像を選択する。ここでは、本編視聴時間は約１５分であるので、特典映像３が選択される。よって、CM３が終了するとあらすじストリーム７００を選択する。
【００４０】
以上のように本実施形態によれば、視聴開始直後に強制的にCMストリーム５００を選択する。その後、あらすじストリーム７００を選択した後は、本編ストリーム６００を番組終了まで選択する。本編ストリーム６００には、CMも含まれているため、CMストリーム５００に切り替える必要がない。よって本実施形態では、強制CM選択開始時間、及び強制CM選択終了時間を必要としない。
【００４１】
（第四実施形態）
第一実施形態では、ユーザは本編の視聴中に現在どのようなCMが放送されているかを知ることは不可能であった。第四実施形態は、本編映像にCM内容を示すテロップを重ね合わせて表示させることにより、ユーザにCM内容の情報を提供する実施形態である。そこで第四実施形態は、図１５に示すようにテロップを生成するためのOSD生成部１０８を備える。
【００４２】
OSD生成部１０８は、OSDを生成する。OSDとは、LUT（Look Up Table）に示された色を、背景色、文字色として使用した描画された簡易グラフィックスである。具体的には、制御部１０７より送出されたCM内容を示すテロップ情報を受け取り、CM内容を示すテロップを生成する。ここで、生成されるテロップは文字列である。テロップは、MPEGデコーダ１０４から出力された本編映像に重ね合わせて表示される。図１６は、本編映像にCM-Aの内容を示すテロップを表示させた図である。
【００４３】
また、第四実施形態では制御部１０７は、SIを取得すると、OSD生成部１０８にCM内容を示すテロップ情報を送出する。
続いて、受信装置の処理の流れについて図１７のフローチャートを用いて説明する。図４との差異は、Ｓ８２、Ｓ９０とＳ１００が付加されたことである。図１７ではCM視聴時間タイマが０か否かを判断し（Ｓ８０）、CM視聴時間タイマが０なら、パケットフィルタリング部１０２が新たなSIを抽出したか否かを判断する。（Ｓ９０）CM視聴時間タイマが０でないなら、CMストリーム選択処理を行い（Ｓ８１）、本編ストリームを選択する（Ｓ８２）。本編ストリームを選択すると、Ｓ９０に移行する。パケットフィルタリング部１０２が新たなSIを抽出していれば、抽出されたSI内の複数のCMのうち、該当するCMの内容を示すテロップを本編に表示する（Ｓ１００）。抽出していなければＳ６０に移行する。また、本編終了か否かを判断し（Ｓ１２０）、本編が終了でない場合は、Ｓ９０に移行する。
【００４４】
以上のように本実施形態によれば、本編映像にCM内容を示すテロップを重ねて表示することにより、ユーザからの自主的なCM視聴要求を促進することができる。
（第五実施形態）
第四実施形態は、本編映像にCM内容を示すテロップを重ねて表示させることにより、ユーザにCM内容の情報を提供した。第五実施形態は、提供された情報によりCMストリームを選択した際にCM映像を子画面にし、本編映像に重ね合わせて表示する場合の実施形態である。そこで第五実施形態は、図１５に示すように、フレームメモリ１０６を備える。
【００４５】
フレームメモリ１０６は、CM画面（子画面）を記憶するための専用メモリである。図１８にユーザの選択によりCMを子画面にした図を示す。
続いて、CM映像を子画面にする際のCMストリーム選択処理の流れについて図１９のフローチャートを用いて説明する。まず、本編ストリーム、CMストリームを取り出すようパケットフィルタリング部１０２に指示する（Ｓ５１）。次に本編映像とCM映像とを別々のフレームメモリに得る（Ｓ５２）。そしてCM映像を縮小化して、子画面にして本編映像に合成する（Ｓ５３）。該当するCMのCM終了期間に達したか否かを判断し（Ｓ５４）、CM終了期間に達すると処理を終了する。CM終了期間に達していないなら、CM終了期間に達するまでCM視聴時間タイマをカウントダウンする（Ｓ５５）。次にユーザからCMの大画面要求があるか否かを判断する（Ｓ５６）。要求があると、CMストリームのみを取り出すようにパケットフィルタリング部に指示する（Ｓ５７）。要求がないと、Ｓ５４に移行する。
【００４６】
以上のように本実施形態によれば、CM映像を子画面にし、本編映像に重ね合わせて表示することができる。これにより、本編を視聴しながらCMも視聴できるので、ユーザによるCM視聴を促進することができる。また、例えば、CM映像に興味を持った場合等に、ユーザからの操作でCM映像を大画面で視聴することができる。
（第六実施形態）
上記の第一から第五実施形態では、チャンネルはCMストリームと、本編ストリームと、あらすじストリームにより構成されていた。第六実施形態は、あらすじストリームを含まず、CMストリームと、本編ストリームにより構成される場合の実施形態である。図２０、図２１はストリーム切り替え情報を示し、図２２はそのときの具体的なストリーム選択の流れを示す。また、特典映像選択基準情報３２２は図９の内容からあらすじストリームに含まれる特典映像３に関する情報を省いたものを用いるとする。図２０、図２１と図７、図８との差異は、あらすじストリーム関する情報を含むか否かである。また、特典映像の選択については第一実施形態と同様に、本編視聴時間に応じて選択する。図２２において、ユーザは１９：０８にチャンネルの切り替え要求操作を行い、チャンネル３０は４Chを選択するものとする。
【００４７】
まず、ユーザから受信装置の電源をonにする要求操作、またはチャンネルの切り替え要求操作がなされると、強制的にCMストリーム２００を選択する。ここでは、１９：０８にチャンネルの切り替え要求操作がなされており、その時点が視聴開始位置となる。CMストリーム２００は該当するCMのCM終了時間ｔ４９の１９：１０になると、本編ストリーム３００に切り替わる。１９：１５に強制CM選択開始時間ｔ４２が来ている。よって、強制的にCMストリーム２００を選択する。強制CM選択終了時間ｔ４３である１９：２０になると、本編ストリーム３００を再び選択する。続いて、１９：３０に強制CM選択開始時間ｔ４４が来ている。よって、強制的にCMストリーム２００を選択する。強制CM選択終了時間ｔ４５である１９：３５になると、再び本編ストリーム３００を選択する。最後に本編終了後に本編視聴時間に応じた特典映像を選択する。ここでは、本編視聴時間は約２５分であるので、特典映像２が選択される。よって、本編３が終了すると本編ストリーム３００を選択する。
【００４８】
（第七実施形態）
上記の第一から第六実施形態では、CM終了時間になるとCMストリームからあらすじストリーム、又は本編ストリームに切り替わる。本実施形態は、タイマによりCMストリームからあらすじストリーム、又は本編ストリームに切り替わる場合の実施形態である。ここで、CMストリームが選択される期間において、期間Ｔを経過するとタイマによりストリームが切り替わるとする。期間Ｔはストリーム切り替え情報であり、ストリームで受信装置に送信されるものとする。したがって、番組情報部１１３は、CMストリームを選択する期間を示す情報として期間Ｔを保持する。また、強制CM選択終了時間は必要ない。
【００４９】
続いて、図７、図８、図９、図２３を用いてストリーム選択の流れを具体的に説明する。但し、図７において、強制CM選択終了時間はないものとし、代わりにCMストリームの選択期間を示す期間Ｔを保持するものとする。ここで、期間Ｔは３分とし、特典映像の選択については第一実施形態と同様に、本編視聴時間に応じて選択する。また図２３において、ユーザは１９：０２に受信装置の電源をonにするものとする。まず、ユーザから受信装置の電源をonにする要求操作、またはチャンネルの切り替え要求操作があると、強制的にCMストリーム２００を選択する。ここでは、１９：０２にユーザから受信装置の電源をonにする要求操作がなされており、その時点が視聴開始位置となる。視聴開始位置から３分経過するまでCMストリーム２００を選択する。ここでは、１９：０２から視聴しているので１９：０５までCMストリーム２００を選択する。続いてあらすじストリーム４００を選択し、現在時点に応じたあらすじ映像を再生出力する。ここでは、複数のあらすじのうち、本編１あらすじ２をあらすじ開始時間ｔ５６である１９：０５からあらすじ終了時間ｔ５７である１９：１０まで再生出力する。その後、本編ストリーム３００を選択する。１９：１５に強制CM選択開始時間ｔ４２が来ている。よって、強制的にCMストリーム２００を選択する。１９：１８になると、再び本編ストリーム３００を選択する。続いて、本編２の再生中の１９：２３頃にユーザからCM視聴の要求があるので、CMストリーム２００を選択する。そして、１９：２６になると再び本編ストリーム３００を選択する。１９：３０に強制CM選択開始時間ｔ４４が来ている。よって、強制的にCMストリーム２００を選択する。１９：３３になると、再び本編ストリーム３００を選択する。最後に本編終了後に本編視聴時間に応じた特典映像を選択する。ここでは、本編視聴時間は約２６分であるので、特典映像選択基準情報３２より特典映像２が選択される。よって、本編３が終了すると本編ストリーム３００を選択する。
【００５０】
以上のように本実施形態によれば、タイマによりCMストリームからあらすじストリーム、又は本編ストリームに切り替えることができる。視聴開始時において、CMストリームを選択する時間をCMストリーム終了時間までとすると、視聴開始位置によってはほとんどCMストリームが選択されずに切り替わる場合もあり得る。本実施形態では、視聴開始時において視聴開始がいつになろうとも、本編視聴前にCM視聴時間を期間Ｔ確保できる。
【００５１】
（その他の変形例）
以上、本発明に係る受信装置について、実施の形態に基づいて説明したが、本発明は上記の実施の形態に限られないことは勿論である。
（１）上記の実施形態では、CMの視聴時間を確保することのみを考慮し、CMを視聴する際に、CMの途中からであってもそのままCMストリームを選択していたが、受信装置でバッファリングを行い、CMの開始から視聴できるようにしても良い。
（２）上記の実施形態では、本編ストリームが選択されている最中にCMストリームに切り替わると、CMが終了し再び本編に切り替わった際には、CMの時間分だけ本編は進行しているが、受信装置でバッファリングを行い、CMに切り替わった時点から再び本編を視聴できるようにしても良い。例えば、野球中継の場合には、攻守が交代する期間にCMストリームを選択すると、CMが終了し再び本編に切り替わった際には、CMの時間分だけ本編が進行していても問題はないが、映画等の場合にはバッファリングを行い、切れ目なく視聴できるようにする必要がある。
（３）上記の実施形態では、チャンネルに帰属するそれぞれのストリームの終端部分に特典映像が含まれていたが、本編ストリームの終端部分に複数の特典映像が含まれていても良い。
（４）上記の実施形態では、指定されたCM視聴時間をストリームで受信装置に送信したが、受信装置が予め視聴が必要なCM時間の値を保持していても良い。
（５）上記の実施形態では、ユーザからのCM視聴要求があると、該当するCMのCM終了時間までCMストリームを選択していたが、ユーザによる本編ストリーム視聴要求があるまでCMストリームを選択するとしても良い。
（６）上記の実施形態では、ストリーム切り替え情報に関して、CM開始時間、及びCM終了時間と、あらすじ開始時間、及びあらすじ終了時間がそれぞれｎ個であったが、それらが同数である必要はない。
（７）上記の実施形態では、一定周期毎に、CMストリームを強制的に選択していたが、周期的である必要はない。例えば、番組の終盤にまとめてCMストリームを強制的に選択するようにしても良い。
（８）上記の実施形態では、本編の視聴時間に応じて特典映像を選択したが、CM視聴時間に応じて特典映像を選択するとしても良い。
（９）上記の実施形態では、受信装置を用いたが、本発明は上記フローチャートで示したステップを含む方法、上記フローチャートで示したステップをコンピュータに実行させるプログラムコードを含むプログラム、システムＬＳＩ等の集積回路であっても良い。
【産業上の利用可能性】
【００５２】
本発明に係る受信装置は、上記実施形態に内部構成が開示されており、この内部構成に基づき量産することが可能なので、工業上利用することができる。このことから本発明に係る受信装置は、産業上の利用可能性を有する。
【図面の簡単な説明】
【００５３】
【図１】受信装置の機能ブロックを示す図である。
【図２】ストリームを切り替えるための情報の構成を示した図である。
【図３】ストリームを切り替えるための情報の構成を示した図である。
【図４】受信装置の処理の流れについてのフローチャートである。
【図５】CMストリーム選択処理の流れについてのフローチャートである。
【図６】あらすじストリーム選択処理の流れについてのフローチャートである。
【図７】ストリームを切り替えるための情報の構成を具体的に示した図である。
【図８】ストリームを切り替えるための情報の構成を具体的に示した図である。
【図９】特典映像選択基準情報の内容を示す図である。
【図１０】ストリーム切り替えの具体例を示す図である。
【図１１】視聴履歴の内部テーブルを示す図である。
【図１２】ストリームを切り替えるための情報の構成を具体的に示した図である。
【図１３】ストリームを切り替えるための情報の構成を具体的に示した図である。
【図１４】第三実施形態に関するストリーム切り替えの具体例を示す図である。
【図１５】受信装置の機能ブロックを示す図である。
【図１６】本編映像にCM内容を示すテロップを表示させた図である。
【図１７】受信装置の処理の流れについてのフローチャートである。
【図１８】ユーザの選択によりCMを子画面にした図である。
【図１９】第五実施形態に関するCMストリーム選択処理の流れについてのフローチャートである。
【図２０】ストリームを切り替えるための情報の構成を具体的に示した図である。
【図２１】ストリームを切り替えるための情報の構成を具体的に示した図である。
【図２２】第六実施形態に関するストリーム切り替えの具体例を示す図である。
【図２３】第七実施形態に関するストリーム切り替えの具体例を示す図である。
【符号の説明】
【００５４】
１０１  デジタルチューナ
１０２  パケットフィルタリング部
１０３  メモリ
１０４  ＭＰＥＧデコーダ
１０５  フレームメモリ
１０６  フレームメモリ
１０７  制御部
１０８  ＯＳＤ生成部
１０９  操作受付部
１１０  時計部
１１１  本編視聴時間タイマ
１１２  ＣＭ視聴時間タイマ
１１３  番組情報部
【図１】
2007515838.tif 000003
【図２】
2007515838.tif 000004
【図３】
2007515838.tif 000005
【図４】
2007515838.tif 000006
【図５】
2007515838.tif 000007
【図６】
2007515838.tif 000008
【図７】
2007515838.tif 000009
【図８】
2007515838.tif 000010
【図９】
2007515838.tif 000011
【図１０】
2007515838.tif 000012
【図１１】
2007515838.tif 000013
【図１２】
2007515838.tif 000014
【図１３】
2007515838.tif 000015
【図１４】
2007515838.tif 000016
【図１５】
2007515838.tif 000017
【図１６】
2007515838.tif 000018
【図１７】
2007515838.tif 000019
【図１８】
2007515838.tif 000020
【図１９】
2007515838.tif 000021
【図２０】
2007515838.tif 000022
【図２１】
2007515838.tif 000023
【図２２】
2007515838.tif 000024
【図２３】
2007515838.tif 000025
【国際調査報告】
2007515838.tif 000026
2007515838.tif 000027
2007515838.tif 000028
2007515838.tif 000029
2007515838.tif 000030